(57)【要約】【課題】発光素子から出射した光をリフレクタ（反射部材）で反射して、光を損失することなく外部に出射する。【解決手段】ＬＥＤパッケージ１２（発光素子）から出射した光を、リフレクタ２０（反射部材）で、ＬＥＤパッケージ１２に遮られることなく進行する平行光に変換して、保護カバー３０（カバー）を通して外部に出射する。【選択図】図５
2013186988.tif 000002
【特許請求の範囲】
【請求項１】
透光性を有するカバーと、該カバーの一方側の面に備えられた発光素子と、該発光素子に対し前記カバーと反対側に配置され前記発光素子からの光を反射する反射部材と、を有する発光装置において、
前記反射部材は、前記発光素子からの光を、前記カバーにおける少なくとも前記発光素子によって遮られた遮蔽領域以外へ反射する平行光に変換するように形成されていることを特徴とする発光装置。
【請求項２】
前記遮蔽領域は、前記発光素子の実装基板によって遮られた領域も含むことを特徴とする請求項１記載の発光装置。
【請求項３】
前記反射部材が、前記発光素子の発光面に対向する位置に配置された第１反射部と、前記第１反射部に接続して前記第１反射部の外側に配置された第３反射部と、前記第３反射部に接続して前記第３反射部の外側に配置された第２反射部と、からなり、
前記第１反射部は、前記発光素子から出射した光を、前記第２反射部に向けて反射し、
前記第２反射部は、前記第１反射部で反射されて前記第２反射部に入射した光を、第１の平行光として前記遮蔽領域以外へ反射し、
前記第３反射部は、前記発光素子から出射した光を、前記第１の平行光と平行な第２の平行光として前記遮蔽領域以外へ反射するように形成されていることを特徴とする請求項１または２に記載の発光装置。
【請求項４】
前記反射部材の反射面は、前記反射部材を前記発光素子の光軸Ｌ1を含む平面で切断した断面のうち、前記第１反射部の反射面が楕円の輪郭の一部から構成され、前記第２反射部の反射面が第１放物線の一部から構成され、前記第３反射部の反射面が第２放物線の一部から構成され、こうして構成された前記楕円の輪郭の一部と、前記第１放物線の一部と、前記第２放物線の一部と、を前記光軸Ｌ1の回りに回転して得られる形状を有し、
前記楕円の輪郭の一部は、前記発光素子の発光面の中心Ｆ1を一方の焦点とし、前記発光面が向く方向に他方の焦点Ｆ2を有する楕円の輪郭の中で、前記光軸Ｌ1と前記楕円の輪郭との交点のうち、前記発光面が向く側の交点を一方の端点Ｑ1とし、他方の端点Ｑ2が、前記楕円の輪郭の中で、前記端点Ｑ1と、前記発光面の中心Ｆ1から前記焦点Ｆ2に向かって延びる半直線と前記楕円の輪郭との交点と、によって挟まれた範囲の中にあり、
前記第１放物線の一部は、前記焦点Ｆ2を通って前記光軸Ｌ1と平行な軸Ｌ2を軸とし、前記焦点Ｆ2を焦点として、前記発光面に向かう方向に開いた第１の放物線の中で、前記発光素子から出射して前記端点Ｑ1で反射した光が到達する端点Ｑ3と、前記発光素子から出射して前記端点Ｑ2で反射した光が到達する端点Ｑ4と、で挟まれた範囲であり、
前記楕円の輪郭の一部である前記端点Ｑ2と前記第１放物線の一部である前記端点Ｑ3とが、前記光軸Ｌ1を軸とし、前記焦点Ｆ1を焦点として、前記発光面に向かう方向に開いた前記第２放物線の一部によって接続されたものであることを特徴とする請求項１から３のいずれか１項に記載の発光装置。
【請求項５】
前記第１放物線の一部と、前記第２放物線の一部と、は前記発光素子の配光特性の半値角の位置で接続されていることを特徴とする請求項４に記載の発光装置。
【請求項６】
前記楕円の輪郭の一部と、前記第２放物線の一部と、は前記発光素子から出射して前記第２放物線の一部で反射した光が、前記遮蔽領域を通過しない位置で接続されていることを特徴とする請求項４または５に記載の発光装置。
【請求項７】
前記楕円の輪郭の一部と、前記第２放物線の一部と、は前記発光素子から出射して前記第１反射部で反射して、さらに前記第２反射部で反射した光が通過する前記カバーの領域と、前記発光素子から出射して前記第３反射部で反射した光が通過する前記カバーの領域と、から等しい光束密度で光が出射される位置で接続されていることを特徴とする請求項４から６のいずれか１項に記載の発光装置。
【発明の詳細な説明】
【技術分野】
【０００１】
本発明は、発光装置に関する。
【背景技術】
【０００２】
近年、照明光源として発光ダイオード（以下、ＬＥＤと呼ぶ）が広く用いられている。これは、ＬＥＤが省電力、長寿命という優れた特徴を有しているためである。
【０００３】
こうしたＬＥＤを適用できる照明光源として、均一な配光特性を発揮するように、反射光を所定の方向に向ける凹面鏡の形状を有する前照灯が提案されている（特許文献１）。
【０００４】
また、ＬＥＤから出射した光を、ＬＥＤの発光面と対向する位置に設置したリフレクタによって、ＬＥＤの裏面方向に向けて反射して、外部に出射する反射型発光ダイオードが提案されている（特許文献２）。
【先行技術文献】
【特許文献】
【０００５】
【特許文献１】特公平８−１０５６１号公報
【特許文献２】特開２００２−１５１７４６号公報
【発明の概要】
【発明が解決しようとする課題】
【０００６】
しかしながら、特許文献１に記載された前照灯の光学系では、光源を点光源として光学設計を行っている。しかし、実際には、光源はある面積を有している。このように面積を有する発光面を持った光源を用いると、凹面鏡で反射した光線の一部が光源によって遮られてしまうため、光源の裏面側からは光線が外部に向かって出射されない。このように光の損失が生じるため、照明の明るさが低下するという問題があった。
【０００７】
一方、特許文献２に記載された反射型発光ダイオードでは、リフレクタの反射方向を工夫することによって、リフレクタで反射した光がＬＥＤを避けて外部に出射する構成を採っているが、外部に出射する光は広がりを持った光束となるため、出射光の指向性が低くなってしまい、これによって、特定の方向から見たときの照明の輝度が低下してしまうという問題点があった。
【０００８】
本発明は上記事情に鑑みなされたもので、発光素子から出射した光を、光を損失することなく外部に出射することができ、なおかつ、特定の方向から見たときに輝度が高い発光装置を提供することを目的とする。
【課題を解決するための手段】
【０００９】
本発明に係る発光装置は、発光素子から出射した光をリフレクタ（反射部材）で反射して、光を損失することなく、平行光として発光素子の発光面の裏面側から外部に向かって出射するものである。
【００１０】
すなわち、本発明に係る発光装置は、透光性を有するカバーと、該カバーの一方側の面に備えられた発光素子と、該発光素子に対し前記カバーと反対側に配置され前記発光素子からの光を反射する反射部材と、を有する発光装置において、前記反射部材は、前記発光素子からの光を、前記カバーにおける少なくとも前記発光素子によって遮られた遮蔽領域以外へ反射する平行光に変換するように形成されていることを特徴とする。
【００１１】
このように構成された本発明に係る発光装置によれば、発光素子から出射した光が、反射部材によって、遮蔽領域である発光素子に遮られることなく進行する平行光に変換されるため、発光素子から出射した光を損失することなく、発光素子の発光面の裏面側に備えたカバーを通して外部に出射することができる。
【発明の効果】
【００１２】
本発明に係る発光装置によれば、発光素子から出射した光を、光を損失することなく、発光素子の発光面の裏面側から平行光として外部に出射することができるため、指向性が高く、特定の方向から見たときの輝度を高めることができる。
【図面の簡単な説明】
【００１３】
【図１】本発明に係るＬＥＤ発光装置の概略構成を示す構造図を表す。
【図２】図１のＬＥＤ発光装置を利用した交通信号灯器の発光部の構造を示す構造図である。
【図３】第１リフレクタ部と第２リフレクタ部の形状について説明する図である。
【図４】第３リフレクタ部の形状について説明する図である。
【図５】ＬＥＤパッケージから出射した光がリフレクタで反射する様子を説明する図である。
【図６】第１リフレクタ部、第２リフレクタ部、第３リフレクタ部の接続位置を説明する図である。
【発明を実施するための形態】
【００１４】
以下、本発明に係る発光装置の実施形態について、図面を参照して説明する。
【００１５】
本実施例は、本発明の発光装置を用いたＬＥＤ発光装置２００を、図２に示す交通信号灯器１００に適用した例である。
【００１６】
本実施例に係るＬＥＤ発光装置２００は、図１に示すように、ＬＥＤ１０と、ＬＥＤ１０から出射した光を所定の方向に反射するリフレクタ２０（反射部材）と、透光性を持つポリカーボネート樹脂などで形成された保護カバー３０（カバー）と、を備えている。そして、リフレクタ２０側から保護カバー３０を見たときに、ＬＥＤ１０が設置されている領域は遮蔽領域となっており、その部分からは外部に光が出射できない。
【００１７】
本発明のＬＥＤ発光装置２００を利用した交通信号灯器１００は、図２に示すように、図１のＬＥＤ発光装置２００が複数個連接して構成されており、ＬＥＤ１０で発生した熱を保護カバー３０に伝えやすくするためにリフレクタ２０の下部に設けられた断熱材６０とともにユニットケース４０に収容されている。そして、保護カバー３０とユニットケース４０とは、防水ゴムパッキン５０によって封止されている。
【００１８】
以下、ＬＥＤ発光装置２００の構成について、図１、３、４、５を用いて説明する。
【００１９】
図１において、ＬＥＤ１０は、さらに、電圧を印加することによって、図１の下方に向けて光を出射するＬＥＤパッケージ１２（発光素子）と、ＬＥＤパッケージ１２が実装されたＬＥＤ基板１４と、ＬＥＤパッケージ１２とその駆動回路や制御回路とを接続する回路基板１６と、を備えており、ＬＥＤ基板１４のＬＥＤパッケージ１２が実装されていない面と回路基板１６とは、それぞれ熱伝導性接着剤によって保護カバー３０の裏面に接着されている。ここで、ＬＥＤパッケージ１２の発光面の中心Ｆ1を通り、ＬＥＤパッケージ１２の発光面に直交する直線を光軸Ｌ1とする。
【００２０】
リフレクタ２０の端部（図１の切断面における反射面）は、リフレクタ２０を、光軸Ｌ1を含む平面で切断したときに、ＬＥＤパッケージ１２に対向する位置にある第１リフレクタ部２２の反射面の一部である、端点Ｑ1と端点Ｑ2とを結ぶ曲線Ｑ1Ｑ2と、曲線Ｑ1Ｑ2と端点Ｑ2において接続する第３リフレクタ部２６の反射面の一部である、端点Ｑ2と端点Ｑ3とを結ぶ曲線Ｑ2Ｑ3と、曲線Ｑ2Ｑ3と端点Ｑ3において接続する第２リフレクタ部２４の反射面の一部である、端点Ｑ3と端点Ｑ4とを結ぶ曲線Ｑ3Ｑ4と、から構成される曲線Ｑ1Ｑ2Ｑ3Ｑ4によって形成されている。そして、リフレクタ２０は、曲線Ｑ1Ｑ2Ｑ3Ｑ4を光軸Ｌ1の回りに回転させることによって得られる形状を有している。
【００２１】
なお、リフレクタ２０は、上記した形状の反射面が形成された基材の表面に、例えばアルミニウム等の金属を蒸着することによって形成される、もしくは、上記した形状にアルミニウム等の板材をプレスなどで成型することによって形成される。
【００２２】
ここで、第１リフレクタ部２２は、ＬＥＤパッケージ１２から出射して第１リフレクタ部２２に到達した光が、第２リフレクタ部２４に向かって反射し、さらに第２リフレクタ部２４で反射して、保護カバー３０の表面に直交する平行光となって保護カバー３０を通過して外部に出射される形状に形成された反射面を有している。
【００２３】
また、第３リフレクタ部２６は、ＬＥＤパッケージ１２から出射して第３リフレクタ部２６に到達した光が、第３リフレクタ部２６で反射して、保護カバー３０の表面に直交する平行光となって保護カバー３０を通過して外部に出射される形状に形成された反射面を有している。
【００２４】
そして、第３リフレクタ部２６は、第３リフレクタ部２６で反射した光が、ＬＥＤ１０に遮られることなく保護カバー３０に入射するような位置に配置されている。
【００２５】
なお、ＬＥＤ発光装置２００は、これらの構成要素の他に、ＬＥＤパッケージ１２を点灯させる駆動回路と、ＬＥＤパッケージ１２の点消灯や点滅を制御する制御回路と、を有しているが、これらは、本発明の主要な構成要素ではないため、図示は省略する。
【００２６】
以下、ＬＥＤ発光装置２００の作用について説明する。
【００２７】
まず、第１リフレクタ部２２（第１反射部）、第２リフレクタ部２４（第２反射部）、第３リフレクタ部２６（第３反射部）の具体的な形状について、図３、図４、図５を用いて説明する。
【００２８】
図３は、第１リフレクタ部２２と第２リフレクタ部２４の形状について説明する図である。図４は、第３リフレクタ部２６の形状について説明する図である。図５は、ＬＥＤパッケージ１２から出射した光が、リフレクタ２０で反射する様子を説明する図である。
【００２９】
図３に示すように、第１リフレクタ部２２の端部は、ＬＥＤパッケージ１２の発光面の中心Ｆ1を一方の焦点とし、ＬＥＤパッケージ１２の発光面が向く方向に他方の焦点Ｆ2を有する楕円の輪郭形状をなし、光軸Ｌ1と楕円の輪郭との交点のうち、ＬＥＤパッケージ１２の発光面が向く側の交点を端点Ｑ1とし、他方の端点Ｑ2が、端点Ｑ1と、ＬＥＤパッケージ１２の発光面の中心Ｆ1から焦点Ｆ2に向かって延びる半直線Ｌ3と楕円の輪郭の交点と、に挟まれた区間の中に配置されている。
【００３０】
第２リフレクタ部２４の端部は、焦点Ｆ2を通って光軸Ｌ1と平行な軸Ｌ2を軸とし、焦点Ｆ2と焦点を共有して、ＬＥＤパッケージ１２の発光面に向かう方向に開いた第１放物線の形状をなし、ＬＥＤパッケージ１２から出射して端点Ｑ1で反射した光が到達する点を端点Ｑ3として、ＬＥＤパッケージ１２から出射して端点Ｑ2で反射した光が到達する点を端点Ｑ4としたとき、端点Ｑ3と端点Ｑ4とに挟まれた範囲の中に配置される。
【００３１】
第３リフレクタ２６の端部は、図４に示すように、第１リフレクタ部２２の一方の端点Ｑ2と第２リフレクタ部２４の一方の端点Ｑ3とが、光軸Ｌ1を軸とし、ＬＥＤパッケージ１２の発光面の中心Ｆ1を焦点として、ＬＥＤパッケージ１２の発光面に向かう方向に開いた第２放物線によって接続された形状をなしている。
【００３２】
このようにして形成された第１リフレクタ部２２の端部と、第２リフレクタ部２４の端部と、第３リフレクタ部２６の端部と、が接続された曲線Ｑ1Ｑ2Ｑ3Ｑ4を、光軸Ｌ1の回りに回転させることによって、リフレクタ２０が形成される。
【００３３】
次に、このようにして形成されたリフレクタ２０に入射した光の挙動について、図５を用いて説明する。
【００３４】
ＬＥＤパッケージ１２に、図示しない制御回路、および駆動回路から適切な電圧が印加されると、その発光面が発光する。発光によって出射した光は、ＬＥＤパッケージ１２が有する所定の配光範囲に亘って直進して、一部の光は第１リフレクタ部２２に到達し、一部の光は第３リフレクタ部２６に到達する。
【００３５】
ＬＥＤパッケージ１２から出射して第１リフレクタ部２２に到達した光は、第１リフレクタ部２２で反射して、第１リフレクタ部２２を構成する楕円の他方の焦点Ｆ2を通過して第２リフレクタ部２４に到達し、さらに、第２リフレクタ部２４で反射する。
【００３６】
そして、第２リフレクタ部２４で反射した光は、第２リフレクタ部２４の反射面を構成する第１放物線の軸である光軸Ｌ1と平行な第１の平行光Ｈ1として、保護カバー３０のリフレクタ２０側の面に直交するように入射して、遮蔽領域であるＬＥＤ１０に遮られることなく、保護カバー３０を通過して外部に出射する。
【００３７】
ＬＥＤパッケージ１２から出射して第３リフレクタ部２６に到達した光は、第３リフレクタ部２６で反射する。第３リフレクタ部２６で反射した光は、第３リフレクタ部２６の反射面を構成する第２放物線の軸である光軸Ｌ1と平行な第２の平行光Ｈ2として、保護カバー３０のリフレクタ２０側の面に直交するように入射して、保護カバー３０を通過して外部に出射する。
【００３８】
ここで、第１放物線と第２放物線とは同じ光軸Ｌ1を軸としているため、第１の平行光Ｈ1と第２の平行光Ｈ2とは互いに平行になる。
【００３９】
なお、第１リフレクタ部２２（楕円の輪郭の一部）の端部と第３リフレクタ部２６（第２放物線の一部）の端部との接続点である端点Ｑ2は、ＬＥＤパッケージ１２から出射して端点Ｑ2において第３リフレクタ部２６に入射した光が、第３リフレクタ部２６で反射したとき、その反射光が、遮蔽領域であるＬＥＤ１０（ＬＥＤ基板１４）に遮られることなく保護カバー３０に入射する位置に設定されている。すなわち、ＬＥＤ１０を、ＬＥＤパッケージ１２の発光面の裏面側から光軸Ｌ1の方向に向かって見たときに、ＬＥＤ基板１４よりも、端点Ｑ2を光軸Ｌ1の回りに回転させて得られる第１リフレクタ部２２の反射面の外縁の方が外側に位置している。
【００４０】
これによって、図５の端点Ｑ2（正確には端点Ｑ2よりも僅かに端点Ｑ3寄りの点）で反射した光線Φ1が、遮蔽領域であるＬＥＤ１０（ＬＥＤ基板１４）に遮られることなく、保護カバー３０を通過して外部に出射される。
【００４１】
以上説明したように、このように構成された実施例に係るＬＥＤ発光装置２００によれば、ＬＥＤパッケージ１２（発光素子）から出射した光がリフレクタ２０（反射部材）で反射して、平行光となって、遮蔽領域であるＬＥＤ１０に遮られることなく進行して保護カバー３０（カバー）を通して外部に出射するため、ＬＥＤパッケージ１２から出射してリフレクタ２０で反射した光を損失することなく、ＬＥＤパッケージ１２の裏面側から平行光として外部に出射することができる。これによって、指向性が高く、特定の方向から見たときに輝度が高い発光装置を提供することができる。
【００４２】
さらに、本実施例にあっては、リフレクタ２０（反射部材）が、ＬＥＤパッケージ１２（発光素子）の発光面に対向する位置に配置された第１リフレクタ部２２（第１反射部）と、第１リフレクタ部２２に接続して第１リフレクタ部２２の外側に配置された第３リフレクタ部２６（第３反射部）と、第３リフレクタ部２６に接続して第３リフレクタ部２６の外側に配置された第２リフレクタ部２４（第２反射部）と、からなり、第１リフレクタ部２２は、ＬＥＤパッケージ１２から出射した光を、第２リフレクタ部２４に向けて反射し、第２リフレクタ部２４は、第１リフレクタ部２２で反射されて第２リフレクタ部２４に入射した光を、第１の平行光Ｈ1として遮蔽領域以外へ反射し、第３リフレクタ部２６は、ＬＥＤパッケージ１２から出射した光を、第１の平行光Ｈ1と平行な第２の平行光Ｈ2として遮蔽領域以外へ反射するように形成されているため、第１リフレクタ部２２（第１反射部）と第３リフレクタ部２６（第３反射部）と第２リフレクタ部２４（第２反射部）とが、連続した１つの面で形成されており、そのため、反射面が形成された基材を、研削加工やプレス加工によって容易に形成することができる。
【００４３】
また、本実施例にあっては、リフレクタ２０（反射部材）の反射面は、リフレクタ２０をＬＥＤパッケージ１２（発光素子）の光軸Ｌ1を含む平面で切断した断面のうち、第１リフレクタ部２２（第１反射部）の反射面が楕円の輪郭の一部から構成され、第２リフレクタ部２４（第２反射部）の反射面が第１放物線の一部から構成され、第３リフレクタ部２６（第３反射部）の反射面が第２放物線の一部から構成され、こうして構成された楕円の輪郭の一部と、第１放物線の一部と、第２放物線の一部と、を光軸Ｌ1の回りに回転して得られる形状を有し、楕円の輪郭の一部は、ＬＥＤパッケージ１２の発光面の中心Ｆ1を一方の焦点とし、ＬＥＤパッケージ１２の発光面が向く方向に他方の焦点Ｆ2を有する楕円の輪郭の中で、光軸Ｌ1と楕円の輪郭との交点のうち、ＬＥＤパッケージ１２の発光面が向く側の交点を一方の端点Ｑ1とし、他方の端点Ｑ2が、楕円の輪郭の中で、端点Ｑ1と、ＬＥＤパッケージ１２の発光面の中心Ｆ1から焦点Ｆ2に向かって延びる半直線と楕円の輪郭との交点と、によって挟まれた範囲の中にあり、第１放物線の一部は、焦点Ｆ2を通って光軸Ｌ1と平行な軸Ｌ2を軸とし、焦点Ｆ2を焦点として、ＬＥＤパッケージ１２の発光面に向かう方向に開いた第１の放物線の中で、ＬＥＤパッケージ１２から出射して端点Ｑ1で反射した光が到達する端点Ｑ3と、ＬＥＤパッケージ１２から出射して端点Ｑ2で反射した光が到達する端点Ｑ4と、で挟まれた範囲であり、楕円の輪郭の一部である端点Ｑ2と第１放物線の一部である端点Ｑ3とが、光軸Ｌ1を軸とし、焦点Ｆ1を焦点として、ＬＥＤパッケージ１２の発光面に向かう方向に開いた第２放物線の一部に接続されたものであるため、リフレクタ２０の面形状を数値計算によって容易に設計することができる。
【００４４】
さらに、本実施例にあっては、ＬＥＤ基板１４の裏面を保護カバー３０に熱伝導性接着剤によって接着しているため、ＬＥＤパッケージ１２の点灯中に、ＬＥＤパッケージ１２やＬＥＤ基板１４で発生した熱が、ＬＥＤ基板１４から熱伝導性接着剤を経て保護カバー３０に伝達される。こうして伝達された熱によって保護カバー３０が温められるため、本実施例のＬＥＤ発光装置２００によって構成された交通信号灯器１００を寒冷地で使用する場合であっても、保護カバー３０の前面に付着した雪を溶かすことができ、これによって交通信号灯器１００の視認性の悪化を防止することができる。
【００４５】
なお、本実施例において、第１リフレクタ部２２と第３リフレクタ部２６との接続位置である端点Ｑ2、第３リフレクタ部２６と第２リフレクタ部２４との接続位置である端点Ｑ3は、図６に示す位置に配置するのが望ましい。
【００４６】
すなわち、ＬＥＤパッケージ１２の中心位置から、各方向に向かって出射する光の強度（光度）を方向毎に測定した配光特性Ｒが、図６に示す特性を有しており、光度が最大になる方向（光軸Ｌ1の方向と一致しているものとする。）と、光度が半分になる方向と、のなす角度（半値角）がθであるとき、第２リフレクタ部２４（第１放物線の一部）と第３リフレクタ部２６（第２放物線の一部）との接続点である端点Ｑ3を、ＬＥＤパッケージ１２の中心位置Ｆ1から見て半値角θの方向に対応する位置に配置することによって、ＬＥＤパッケージ１２から出射された有効な光を損失することなく、第２リフレクタ部２４と第３リフレクタ部２６とに入射して、第２リフレクタ部２４と第３リフレクタ部２６とで反射して外部に出射することができる。
【００４７】
そしてさらに、第１リフレクタ部２２（楕円の輪郭の一部）と第３リフレクタ部２６（第２放物線の一部）との接続点である端点Ｑ2を、ＬＥＤパッケージ１２から半値角θの内側に出射する光のうち、第１リフレクタ部２２で反射して、さらに第２リフレクタ部２４で反射して外部に出射する第１の平行光Ｈ1が保護カバー３０を通過する領域と、第３リフレクタ部２６で反射して外部に出射する第２の平行光Ｈ2が保護カバー３０を通過する領域と、から等しい光束密度の光が出射するように、ＬＥＤパッケージ１２から出射して第１リフレクタ部２２に入射する光量（図６の領域Ｓ1の面積に対応）と、ＬＥＤパッケージ１２から出射して第３リフレクタ部２６に入射する光量（図６の領域Ｓ2の面積に対応）との比率が、第１の平行光Ｈ1がカバー表面から出射する区間Ａが光軸Ｌ1の回りに回転して形成される領域の面積と、第２の平行光Ｈ2がカバー表面から出射する区間Ｂが光軸Ｌ1の回りに回転して形成される領域の面積との比率と等しくなるように、第１リフレクタ部２２と第３リフレクタ部２６との接続点である端点Ｑ2の位置を設定するのが望ましい。
【００４８】
これによって、保護カバー３０から第１の平行光Ｈ1が出射される領域と、保護カバー３０から第２の平行光Ｈ2が出射される領域とから、等しい光束密度の光を出射させることができるため、外部からＬＥＤ発光装置２００の保護カバー３０を見たときに、発光している領域の輝度をより一層均一にすることができ、これによってＬＥＤ発光装置２００の発光品質を向上させることができる。
【００４９】
なお、本実施例においては、ＬＥＤを光源とする発光素子を例にあげて説明したが、発光素子はＬＥＤに限定されるものではなく、白熱電球やＨＩＤランプなどを発光素子として用いることもできる。
【００５０】
以上、本発明の実施例について、図面を用いて詳細に説明したが、この実施例は本発明の例示にしか過ぎないものであるため、本発明はこの実施例の構成にのみ限定されるものではなく、本発明の要旨を逸脱しない範囲の設計の変更等があっても、本発明に含まれることは勿論である。
【符号の説明】
【００５１】
１０  ＬＥＤ
１２  ＬＥＤパッケージ（発光素子）
１４  ＬＥＤ基板
２０  リフレクタ（反射部材）
２２  第１リフレクタ部（第１反射部）
２４  第２リフレクタ部（第２反射部）
２６  第３リフレクタ部（第３反射部）
３０  保護カバー（カバー）
Ｌ1  光軸
Ｆ1  発光面の中心
Ｆ2  焦点
Ｈ1  第１の平行光
Ｈ2  第２の平行光
Ｑ1、Ｑ2、Ｑ3、Ｑ4 端点
Φ1  光線
【図１】
2013186988.tif 000003
【図２】
2013186988.tif 000004
【図３】
2013186988.tif 000005
【図４】
2013186988.tif 000006
【図５】
2013186988.tif 000007
【図６】
2013186988.tif 000008